(57)【特許請求の範囲】
【請求項１】
本体と、本体に対して開閉自在に設けられた表示部を備える携帯型の電子機器において、
表示部の表示画面を囲む周囲部分には、付属器具を着脱自在に収納する収納部を備え、
上記収納部は、
上記付属器具を収納する収納ホルダーと、
上記収納ホルダーを所定角度回動可能に支持する支点部と、
上記収納ホルダーを上記周囲部分内に保持するためのストッパーとを備え、
上記収納ホルダーが上記周囲部分内に保持された状態から、上記収納ホルダーの上記支点よりも第1の端部に近い部分が押圧されることにより、上記収納ホルダーの第２の端部が上記ストッパーを外れて上記周囲部分から離脱し、
上記収納ホルダーの上記支点よりも上記第２の端部に近い部分が押圧されることにより、上記収納ホルダーの上記第２の端部が上記ストッパーにより、上記周囲部分内に格納された状態で保持されることを特徴とする電子機器。
【請求項２】
上記収納ホルダーは、回動方向に対して上記周囲部分側に位置する内面部と、上記内面部よりも外側に位置する外面部と、上記内面部および上記外面部を連結する連結部とを備え、
上記ストッパーは、上記収納ホルダーが上記周囲部分から離脱するとき、または、上記収納ホルダーが上記周囲部分内に格納されるときに、上記収納ホルダーの上記第２の端部の上記内面部が接する突起を備えることを特徴とする請求項１に記載の電子機器。
【請求項３】
本体には表示部に対して表示内容を指示するためのタブレット装置を有し、付属器具はタブレット装置に入力を与えるペン型の操作具である請求項１に記載の電子機器。
【請求項４】
表示部は液晶表示装置を備え、この液晶表示装置の表示画面の周囲に収納部が設けられている請求項１に記載の電子機器。
【発明の詳細な説明】
【０００１】
【発明の属する技術分野】
本発明は、例えば携帯型コンピュータのような電子機器に関するものである。
【０００２】
【従来の技術】
近年、携帯型の電子機器が多く発売されており、ＣＰＵ（中央処理装置）を搭載した高度な電子機器が出現している。携帯型の電子機器のうちの、例えば携帯型のコンピュータは、本体とその表示部を備えており、この表示部は本体に対してヒンジを介して、開閉できるようになっている。このような携帯型のコンピュータとしては、Ａ４型サイズのノート型のパーソナルコンピュータやセミノート型のコンピュータ（Ｂ５型サイズ）と呼ばれるコンピュータが代表的なものである。
【０００３】
ところでこの種の電子機器には各種の付属器具を使用することがある。例えば表示部の画面に対して必要な入力事項を表示するタブレット装置を備えている場合には、そのタブレット装置に対して使用者はペンにより必要な入力情報を描くことがある。このような入力のペンは、通常この種の携帯型の電子機器と一緒に別途持ち歩く必要がある。
【０００４】
【発明が解決しようとする課題】
しかし、このような比較的小さな付属機器は別途持ち歩くと、紛失してしまうことがあり、しかも必要な時に直ぐに見つけ出して使用することが難しい場合もある。
そこで本発明は上記課題を解消し、付属機器を収納しておくことにより付属機器を直ぐに使用することができ、紛失を防ぐことができる電子機器を提供することを目的としている。
【０００５】
【課題を解決するための手段】
上記目的は、本発明にあっては、本体と、本体に対して開閉自在に設けられた表示部を備える携帯型の電子機器において、表示部の表示画面を囲む周囲部分には、付属器具を着脱自在に収納する収納部を備え、収納部は、付属器具を収納する収納ホルダーと、収納ホルダーを所定角度回動可能に支持する支点部と、収納ホルダーを周囲部分内に保持するためのストッパーとを備え、収納ホルダーが周囲部分内に保持された状態から、収納ホルダーの支点よりも第1の端部に近い部分が押圧されることにより、収納ホルダーの第２の端部がストッパーを外れて周囲部分から離脱し、収納ホルダーの支点よりも第２の端部に近い部分が押圧されることにより、収納ホルダーの第２の端部がストッパーにより、周囲部分内に格納された状態で保持されることを特徴とする電子機器により、達成される。
【０００６】
本発明では、本体と本体に対して開閉自在に設けられた表示部を備える携帯型の電子機器であり、表示部の表示画面を囲む周囲部分には、付属器具を着脱自在に収納する収納部を備えている。このようにすることで、付属器具を使用者が直ぐ取り出して使用することができるとともに付属器具の紛失を防ぐことができる。
【０００７】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
図１は、本発明の電子機器用のヒンジを備える電子機器の一例を示しており、図１の電子機器は、携帯型のコンピュータ１００である。携帯型のコンピュータ１００は、本体２、表示部３、キーボード４、タブレット装置５、Ａ領域とＢ領域で囲むヒンジ１Ａ，１Ｂ、バッテリパックＢＡ等を備えている。
【０００８】
本体２は、上述したキーボード４やその他のポインティングディバイス５等を有しており、表示部３は、例えば液晶表示装置（ＬＣＤ）を採用することができる。表示部３は、本体２に対してヒンジ１Ａ，１Ｂを用いて、矢印Ｒ方向に開閉（折り畳み）可能に取り付けられている。また、図１においては示していないが、本体２に対しては、外部のポインティング手段であるマウス等を外付けする機器等を設定することもできる。
【０００９】
図２は、図１の電子機器の表示部３を本体２に対して折り畳んだ状態でしかも矢印ＳＤから見た図である。図２において、本体２の側面Ａには、電源スイッチ４０、その他のスイッチ４１，４２等が配置されている。また側面２Ａには電子カード（ＰＣカード）を挿入するためのスロット４３が設けられている。
【００１０】
図３と図１に示す本体２には、タブレット装置５及びポインティングディバイス５Ａが設けられている。ポインティングディバイス５Ａは、ポインティング手段であるマウスの左クリックボタン及び右クリックボタンに相当するものである。
タブレット装置５の上面は、図２と図５に示す情報入力用のペン型の操作具５０により触れることにより、使用者が望むような情報、例えば文字や絵等を図１の表示部の表示画面３Ａに表示することができるようになっている。
このタブレット装置５は、例えば抵抗体を用いた感圧方式のものを採用することができる。
【００１１】
次に、図４と図５等を参照して操作具５０及び操作具５０の収納部６０について説明する。
操作具５０は、例えば感圧方式のタブレット装置を用いる場合にはプラスチックで作られているペンである。この操作具５０は、図４と図５に示すように表示部３の左辺部５１において、Ｄ方向（表示画面３Ａの上下方向）に沿って収納できるようになっている。つまりこの収納部６０はこの左辺部５１に対して設けられている。右辺部５２には、液晶表示装置の表示画面３Ａのインバータ回路５３が収納されている。従って、この実施の形態では、収納部６０は空いている左辺部５１に収納するのが好ましい。
【００１２】
収納部６０は、図５〜図７に示すように、操作具５０を収納する収納用のホルダー６１、支点ピン６２、ストッパー６３等を有している。これらのホルダー６１とストッパー６３は、例えばプラスチックにより作られている。ストッパー６３は表示部３のハウジング３Ｂの左辺部５１においてその上部に固定されている。ストッパー６３は図６に示すように突起６４を備えている。
【００１３】
ホルダー６１は、図６と図７に示すように、外面部６５と内面部６６を有している。外面部６５と内面部６６は連結部６７で連結されており、外面部６５と内面部６６はやや上側が開いたような形状になっていて、操作具５０を取り出しやすくしている。このホルダー６１の操作具５０は図７に示すように着脱可能に挿入して収納できる。ホルダー６１の内面部６６の中間部よりちょっと下には、支点ピン６２を保持する支点６９が設けられている。従ってホルダー６１はこの支点ピン６２を中心として図５に示す左辺部５１に対して中心線ＣＬ１を中心として、所定角度回すことができる。
図７（Ａ）では、ホルダー６１は左辺部５１内に収納されているが、図７（Ｂ）のように矢印Ｅの方向に使用者の指でホルダー６１の下端部７１を押すことにより、Ｓ方向にホルダー６１が所定角度θ回転する。これによりホルダー６１の上部の開口部７２が左辺部５１から外部に出るので、使用者はこの操作具５０を矢印Ｚ方向に容易に取り出すことができる。
【００１４】
また、図７（Ａ）に示すようにホルダー６１が左辺部５１に納められている時には、ホルダー６１の内面部６６の上端部７４がストッパー６３の突起６４に対して確実に保持されているので、簡単にはホルダー６１が左辺部５１の外部に飛び出すことがない。
【００１５】
図８は図１の表示部３を横方向に切断した内部構造を示しており、操作具５０は、ホルダー６１に収納された状態である。このように、ペン５０及びホルダー６１は、ハウジング３Ｂに対して確実に収納することができ、外部に突出するようなことはない。
【００１６】
図９は、図１のタブレット装置５の一例を示している。このタブレット装置５は例えば抵抗体を有する感圧方式のタブレットであり、Ｘ抵抗体８０は、対向電極８１，８２を有し、Ｙ抵抗体９０は対向電極９１，９２を有している。Ｘ抵抗体８０とＹ抵抗体９０は、図１０に示すようにスペースＳＰをおいて平行に配置されており使用者が操作具５０をＸ抵抗体８０及びＹ抵抗体９０に押し付けると、その押し付けた所の点ＰＯに関して、Ｘ抵抗体８０の面抵抗部８３とＹ抵抗体９０の面抵抗部９３においてそれぞれ位置が特定されて、図９の処理部９４から、点ＰＯに関する座標（Ｖｘ，Ｖｙ）が出力されるようになっている。
しかし本発明の実施の形態に使用されているタブレット装置５は、抵抗タブレット方式の感圧型のものに限らず、容量結合型のタブレットあるいは磁気結合型のタブレットあるいは音響、振動結合型のタブレットや光結合型のタブレット等を採用することも勿論可能である。
【００１７】
次に、上述した携帯型のコンピュータの使用例について説明する。
図１に示すように本体２から表示部３をＲ方向に回転して開くことにより、使用者は表示部３の表示画面３Ａを見ることができる。この状態で、図７（Ａ）に示すようにホルダー６１の中にはあらかじめ操作具５０が収容されており、ホルダー６１の下端部７１をＥ方向に使用者が指で押すことにより、図７（Ｂ）と図５に示すようにホルダー６１が左辺部５１から傾いて外に飛び出ることになる。使用者は操作具５０を指でつかんで図７（Ｂ）に示すように取り出すことができる。使用者はこの操作具５０を用いて、図９と図１に示すタブレット装置５の面上に対して必要な図形あるいは文字等を入力することにより、図９に示すように例えば支持した点ＰＯ（Ｖｘ，Ｖｙ）が、図１の本体２のＣＰＵ２Ｐに送られて、このＣＰＵ２Ｐは、表示部３の液晶表示装置に対して例えば絶対座標方式あるいは相対座標方式で絵や文字等の情報を表示することができる。
【００１８】
操作具５０を使用した後は、図７（Ｂ）に示すように操作具５０をホルダー６１の中に収納する。そして使用者がホルダー６１の上部をＦ方向に押すことにより、内面部６６の上端部がストッパー６３の突起６４を乗り越えて、図７（Ｂ）に示すように突起６４が内面部６６の上端部７４をしっかりと保持する。これによりコンピュータ１００を携帯してもホルダー６１は外側には飛び出して来なくなる。
以上のようにして、操作具５０を着脱可能に表示部の左側面部５１に対して収納することができる。
【００１９】
ところで本発明は上記実施の形態に限定されない。
上述した実施の形態では携帯型の電子機器として携帯型のコンピュータを例に挙げているがこれに限らず他の種類の電子機器、例えば携帯型の情報端末やあるいはその他の種類のものであっても勿論構わない。
また付属機器としてタブレット装置に入力するためのペン型の操作具５０を例に挙げているが、これに限らず、他の種類のものであってもよい。また付属器具を収納する部分は、表示部３の左辺部５１に限らず、上辺部や右辺部あるいは下辺部あるいは表面側の部分、背面側の部分であっても勿論構わない。
【００２０】
【発明の効果】
以上説明したように、本発明によれば、付属機器を収納しておくことにより付属機器を直ぐに使用することができ、紛失を防ぐことができる。
【図面の簡単な説明】
【図１】本発明の電子機器の好ましい実施の形態である携帯型のコンピュータの一例を示す斜視図。
【図２】図１の携帯型のコンピュータを折り畳んだ状態を示す側面図。
【図３】図１の携帯型のコンピュータの本体を示す平面図。
【図４】図１の表示部及び収納部の一例を示す正面図。
【図５】収納部を示す斜視図。
【図６】収納部のホルダーを示す斜視図。
【図７】収納部の動作例を示す図。
【図８】表示部及び収納部を示す断面図。
【図９】タブレット装置の一例を示す図。
【図１０】図９のタブレット装置の操作例を示す図。
【符号の説明】
２・・・本体（第１部分）、３・・・表示部（第２部分）、５０・・・操作具（付属器具）、５１・・・左辺部（周囲部分）、６０・・・収納部、６１・・・ホルダー、６２・・・支点、、１００・・・携帯型のコンピュータ（電子機器）
【図１】
0003870508.tif 000002
【図２】
0003870508.tif 000003
【図３】
0003870508.tif 000004
【図４】
0003870508.tif 000005
【図５】
0003870508.tif 000006
【図６】
0003870508.tif 000007
【図７】
0003870508.tif 000008
【図８】
0003870508.tif 000009
【図９】
0003870508.tif 000010
【図１０】
0003870508.tif 000011